(57)【要約】無線ネットワークに接続するための送受信アンテナを有する通信手段を含む無線モジュールを装着して使用する端末装置において、前記送受信アンテナに物理的又は空間的に接続される第１アンテナ部と、前記第１アンテナ部に接続されていると共に、前記無線ネットワークと直接的に無線信号の送受信を行う第２アンテナ部とを備えて、通信品質の向上及び前記端末装置と前記無線ネットワーク間の無線信号到達距離の延長を図る。
2004032354.tif 000002
【特許請求の範囲】
【請求項１】
無線ネットワークに接続するための送受信アンテナを有する通信手段を含む無線モジュールを装着して使用する端末装置において、
前記送受信アンテナに物理的又は空間的に接続される第１アンテナ部と、前記第１アンテナ部に接続されていると共に、前記無線ネットワークと直接的に無線信号の送受信を行う第２アンテナ部とを備える端末装置。
【請求項２】
利得が１以上の高周波増幅回路を前記第１アンテナ部と前記第２アンテナ部の間に挿入した請求項１に記載の端末装置。
【請求項３】
前記送受信アンテナを外方に突出させるように前記無線モジュールを装着するスロットが形成され、又、前記スロットに装着された前記無線モジュールの前記送受信アンテナ、前記第１アンテナ部と前記第２アンテナ部を収容するカバーを更に備える請求項１に記載の端末装置。
【請求項４】
筺体を更に備え、又、前記カバーを前記筺体の前面パネルに止着した請求項３に記載の端末装置。
【発明の詳細な説明】
【技術分野】  本発明は無線インターフェイスを装備した端末装置（国際特許分類Ｈ０４Ｎ５／６４）に関するものである
【背景技術】  近年、無線ＬＡＮは接続ケーブルを必要としない利便性から、急速に普及しており、例えば、特開平８−１０７３６９号公報に開示されているように、いわゆるＴＣＰ／ＩＰ接続用途のみならず、映像・音声の伝送用インターフェイスとして脚光を浴びている。また、使用する周波数も２．４ＧＨｚ帯から、より大容量伝送が可能な５ＧＨｚ帯へとシフトしているのが現状である。
以下に無線インターフェイスを装備した従来の端末装置について図５及び図６を用いて説明する。
図５は、無線インターフェイスを装備した従来の端末装置の概略部分側断面図であり、図６は、図５の従来の端末装置の後部の部分斜視図である。図５及び図６において、従来の端末装置は、無線モジュール１０と、プリント基板４と、無線モジュール１０を装着するスロット９を後面パネルに形成した筐体５とを備える。更に、無線モジュール１０は、無線モジュール本体１と、端末装置に接続すべき無線ネットワークとの無線信号の送受信を行うように、無線モジュール本体１の一端部に設けられた内蔵アンテナ２等の通信手段と、無線モジュール１０を筐体５のスロット９に装着した時に端末装置に接続されるように、無線モジュール本体１の他端部に設けられたＰＣＭＣＩＡコネクタ３とを含む。図６に示すように、無線モジュール１０を筺体５の後面パネルのスロット９に装着した時、無線モジュール１０の内蔵アンテナ２は、筺体５の後面においてスロット９から外方に突出している。
以上のように構成された無線インターフェイスを装備した従来の端末装置の動作について以下に説明する。
端末装置に接続すべき無線ネットワークから送信された変調波は、無線モジュール１０に設けられた内蔵アンテナ２によって受信され、無線モジュール１０の内部で復調後ベースバンド信号に変換される。その後、ベースバンド信号は、端末装置のプリント基板４に設けられたＰＣＭＣＩＡコネクタ３を介して、端末装置のプリント基板４上に形成された信号処理回路から、あらかじめ定められたプロトコルに応じた処理を受けて、所望のデジタルデータへと変換される。当該端末装置から無線ネットワークへの送信時は、上記の逆の過程をたどる。
しかしながら上記の従来の端末装置では、無線モジュール１０が端末装置の筺体５の後面パネルのスロット９に装着されるため、端末装置が、他の無線ネットワークと送受信を行う場合に、送信及び受信電波が筺体５によって遮られやすく、また、ＰＣＭＣＩＡインターフェイスを使用するという物理的、電気的制約によって、内蔵アンテナ２の高利得化及び無線モジュール１０の送信電力の上昇が制限され、結果として通信品質の確保及び端末装置と無線ネットワーク間の無線信号到達距離の延長が困難であるという欠点を有していた。
【発明の開示】
本発明は、従来例の上記問題点を解決し、無線モジュールの内蔵アンテナの高性能化が容易な端末装置を提供することを目的とする。
上記目的を達成するために、本発明の端末装置は、無線ネットワークに接続するための送受信アンテナを有する通信手段を含む無線モジュールを装着して使用する端末装置において、前記送受信アンテナに物理的又は空間的に接続される第１アンテナ部と、前記第１アンテナ部に接続されていると共に、前記無線ネットワークと直接的に無線信号の送受信を行う第２アンテナ部とを備えるものである。
【図面の簡単な説明】  図１は、本発明の実施の形態１にかかる端末装置の概略部分側断面図である。
図２は、図１の端末装置の破断部分正面図である。
図３は、図１の端末装置の前部の破断部分斜視図である。
図４は、図１の端末装置の変形例にかかる端末装置に用いられるアンテナ装置の構成を示すブロック図である。
図５は、無線インターフェイスを装備した従来の端末装置の概略部分側断面図である。
図６は、図５の従来の端末装置の後部の部分斜視図である。
【発明を実施するための最良の形態】  以下に、本発明の実施の形態について、図面を参照して説明する。
（実施の形態１）
図１は本発明の実施の形態１にかかる端末装置の概略部分側断面図であり、図２は、図１の端末装置の破断部分正面図であり、図３は、図１の端末装置の前部の破断部分斜視図である。
図１、図２と図３において、従来の端末装置と同様に、この端末装置は、無線モジュール１０と、プリント基板４と、無線モジュール１０を装着するスロット９を形成した筐体５とを備え、又、インターフェイス機能を有するカード型の無線モジュール１０は、無線モジュール本体１と、端末装置に接続すべき無線ネットワークとの無線信号の送受信を行うように、無線モジュール本体１の一端部に設けられた内蔵アンテナ２等の通信手段と、無線モジュール１０を筐体５のスロット９に装着した時に端末装置に接続されるように、無線モジュール本体１の他端部に設けられたＰＣＭＣＩＡコネクタ３とを含む。
スロット９を筺体５の後面パネルに形成した図５及び図６の従来の端末装置と異なり、本発明の端末装置では、スロット９が筺体５の前面パネルに形成されている。よって、図１及び図３に示すように、無線モジュール１０を筺体５の前面パネルのスロット９に装着した時、無線モジュール１０の内蔵アンテナ２は、筺体５の前面パネルにおいてスロット９から外方に突出している。更に、図５及び図６の従来の端末装置と異なり、本発明の端末装置は、第１アンテナ部１３と第２アンテナ部１４から成るアンテナ装置２０と、スロット９に装着された無線モジュール１０の内蔵アンテナ２とアンテナ装置２０を収容するように、筺体５の前面パネルに止着されるカバー１５とを備える。第１アンテナ部１３は、内蔵アンテナ２と送受信を行うように、内蔵アンテナ２に物理的又は空間的に接続される一方、第２アンテナ部１４は、第１アンテナ部１３に接続されていると共に、端末装置に接続すべき無線ネットワークと直接的に無線信号の送受信を行う。
以上のように構成された端末装置の動作を、以下に説明する。
端末装置に接続すべき無線ネットワークから送信された変調波は、まず端末装置の筺体５の前面パネルに止着されたカバー１５内の第２アンテナ部１４によって受信され、第１アンテナ部１３へと導かれる。第１アンテナ部１３は、スロット９に装着された無線モジュール１０の内蔵アンテナ２と電磁結合しているため、該変調波は無線モジュール１０の内部に取り込まれ、ベースバンド信号へと変換される。その後、ベースバンド信号は、端末装置のプリント基板４に設けられたＰＣＭＣＩＡコネクタ３を介して、端末装置のプリント基板４上に形成された信号処理回路から、あらかじめ定められたプロトコルに応じた処理を受けて、所望のデジタルデータへと変換される。当該端末装置から無線ネットワークへの送信時は、上記の逆の過程をたどる。
以上のように、無線モジュール１０の内蔵アンテナ２との送受信を行う第１アンテナ部１３と、端末装置に接続すべき無線ネットワークとの送受信を行う第２アンテナ部１４とを端末装置の筺体５の前面パネル等の電波を遮断しにくい場所に配置することにより、容易に通信品質の向上が得られる。
なお、この実施の形態では、無線モジュール１０のインターフェイスをＰＣＭＣＩＡコネクタ３としているが、ＳＤカード、メモリースティック等の他のインターフェイスを用いても同等の効果が得られることは言うまでもない。また、第１アンテナ部１３と第２アンテナ部１４には誘電体、スロット、パッチ等の様々な方式、形状の素子が使用可能であり、その寸法、レイアウトについても設計の自由度は極めて高い。
図１の端末装置の変形例にかかる端末装置に用いられるアンテナ装置２０’を示す図４では、利得が１以上の高周波増幅回路１６が、第１アンテナ部１３と第２アンテナ部１４の間に挿入されている。
また、第１アンテナ部１３と第２アンテナ部１４を開閉式のカバー１５に固定してもよい。
以上の説明から明らかなように、本発明によれば、無線モジュールの内蔵アンテナと送受信を行う第１アンテナ部と、端末装置に接続すべき無線ネットワークと送受信を行う第２アンテナ部とを端末装置の筺体の前面パネル等の電波を遮断されにくい場所に配置することにより、通信品質の向上及び端末装置と無線ネットワーク間の無線信号到達距離の延長を図ることができると共に、端末装置の筺体の前面パネル等の物理的又は電気的制約の比較的少ない場所に設けられた第１アンテナ部と第１アンテナ部の指向性、利得等の特性を容易に向上させることができる。
又、本発明において、利得が１以上の高周波増幅回路を第１アンテナ部と第２アンテナ部の間に挿入すれば、送信電力と受信ＣＮ比が改善されることにより、通信品質を更に向上させることができる。
【図１】
2004032354.tif 000003
【図２】
2004032354.tif 000004
【図３】
2004032354.tif 000005
【図４】
2004032354.tif 000006
【図５】
2004032354.tif 000007
【図６】
2004032354.tif 000008
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
無線ネットワークに接続するための送受信アンテナを有する通信手段を含む無線モジュールを装着して使用する端末装置において、
前記送受信アンテナに物理的又は空間的に接続される第１アンテナ部と、前記第１アンテナ部に接続されていると共に、前記無線ネットワークと直接的に無線信号の送受信を行う第２アンテナ部とを備える端末装置。
【請求項２】
利得が１以上の高周波増幅回路を前記第１アンテナ部と前記第２アンテナ部の間に挿入した請求項１に記載の端末装置。
【請求項３】
前記送受信アンテナを外方に突出させるように前記無線モジュールを装着するスロットが形成され、又、前記スロットに装着された前記無線モジュールの前記送受信アンテナ、前記第１アンテナ部と前記第２アンテナ部を収容するカバーを更に備える請求項１に記載の端末装置。
【請求項４】
筺体を更に備え、又、前記カバーを前記筺体の前面パネルに止着した請求項３に記載の端末装置。
【手続補正２】
【補正対象書類名】明細書
【補正対象項目名】全文
【補正方法】変更
【補正の内容】
【発明の詳細な説明】
【技術分野】
【０００１】
本発明は無線インターフェイスを装備した端末装置（国際特許分類Ｈ０４Ｎ  ５／６４）に関するものである
【背景技術】
【０００２】
近年、無線ＬＡＮは接続ケーブルを必要としない利便性から、急速に普及しており、例えば、特開平８−１０７３６９号公報に開示されているように、いわゆるＴＣＰ／ＩＰ接続用途のみならず、映像・音声の伝送用インターフェイスとして脚光を浴びている。また、使用する周波数も２．４ＧＨｚ帯から、より大容量伝送が可能な５ＧＨｚ帯へとシフトしているのが現状である。
【０００３】
以下に無線インターフェイスを装備した従来の端末装置について図５及び図６を用いて説明する。
図５は、無線インターフェイスを装備した従来の端末装置の概略部分側断面図であり、図６は、図５の従来の端末装置の後部の部分斜視図である。図５及び図６において、従来の端末装置は、無線モジュール１０と、プリント基板４と、無線モジュール１０を装着するスロット９を後面パネルに形成した筐体５とを備える。更に、無線モジュール１０は、無線モジュール本体１と、端末装置に接続すべき無線ネットワークとの無線信号の送受信を行うように、無線モジュール本体１の一端部に設けられた内蔵アンテナ２等の通信手段と、無線モジュール１０を筐体５のスロット９に装着した時に端末装置に接続されるように、無線モジュール本体１の他端部に設けられたＰＣＭＣＩＡコネクタ３とを含む。図６に示すように、無線モジュール１０を筺体５の後面パネルのスロット９に装着した時、無線モジュール１０の内蔵アンテナ２は、筺体５の後面においてスロット９から外方に突出している。
【０００４】
以上のように構成された無線インターフェイスを装備した従来の端末装置の動
作について以下に説明する。
端末装置に接続すべき無線ネットワークから送信された変調波は、無線モジュール１０に設けられた内蔵アンテナ２によって受信され、無線モジュール１０の内部で復調後ベースバンド信号に変換される。その後、ベースバンド信号は、端末装置のプリント基板４に設けられたＰＣＭＣＩＡコネクタ３を介して、端末装置のプリント基板４上に形成された信号処理回路から、あらかじめ定められたプロトコルに応じた処理を受けて、所望のデジタルデータへと変換される。当該端末装置から無線ネットワークへの送信時は、上記の逆の過程をたどる。
【０００５】
しかしながら上記の従来の端末装置では、無線モジュール１０が端末装置の筺体５の後面パネルのスロット９に装着されるため、端末装置が、他の無線ネットワークと送受信を行う場合に、送信及び受信電波が筺体５によって遮られやすく、また、ＰＣＭＣＩＡインターフェイスを使用するという物理的、電気的制約によって、内蔵アンテナ２の高利得化及び無線モジュール１０の送信電力の上昇が制限され、結果として通信品質の確保及び端末装置と無線ネットワーク間の無線信号到達距離の延長が困難であるという欠点を有していた。
【発明の開示】
【発明が解決しようとする課題】
【０００６】
本発明は、従来例の上記問題点を解決し、無線モジュールの内蔵アンテナの高性能化が容易な端末装置を提供することを目的とする。
【課題を解決するための手段】
【０００７】
上記目的を達成するために、本発明の端末装置は、無線ネットワークに接続するための送受信アンテナを有する通信手段を含む無線モジュールを装着して使用する端末装置において、前記送受信アンテナに物理的又は空間的に接続される第１アンテナ部と、前記第１アンテナ部に接続されていると共に、前記無線ネットワークと直接的に無線信号の送受信を行う第２アンテナ部とを備えるものである。
【発明を実施するための最良の形態】
【０００８】
以下に、本発明の実施の形態について、図面を参照して説明する。
【０００９】
（実施の形態１）
図１は本発明の実施の形態１にかかる端末装置の概略部分側断面図であり、図２は、図１の端末装置の破断部分正面図であり、図３は、図１の端末装置の前部の破断部分斜視図である。
【００１０】
図１、図２と図３において、従来の端末装置と同様に、この端末装置は、無線モジュール１０と、プリント基板４と、無線モジュール１０を装着するスロット９を形成した筐体５とを備え、又、インターフェイス機能を有するカード型の無線モジュール１０は、無線モジュール本体１と、端末装置に接続すべき無線ネットワークとの無線信号の送受信を行うように、無線モジュール本体１の一端部に設けられた内蔵アンテナ２等の通信手段と、無線モジュール１０を筐体５のスロット９に装着した時に端末装置に接続されるように、無線モジュール本体１の他端部に設けられたＰＣＭＣＩＡコネクタ３とを含む。
【００１１】
スロット９を筺体５の後面パネルに形成した図５及び図６の従来の端末装置と異なり、本発明の端末装置では、スロット９が筺体５の前面パネルに形成されている。よって、図１及び図３に示すように、無線モジュール１０を筺体５の前面パネルのスロット９に装着した時、無線モジュール１０の内蔵アンテナ２は、筺体５の前面パネルにおいてスロット９から外方に突出している。更に、図５及び図６の従来の端末装置と異なり、本発明の端末装置は、第１アンテナ部１３と第２アンテナ部１４から成るアンテナ装置２０と、スロット９に装着された無線モジュール１０の内蔵アンテナ２とアンテナ装置２０を収容するように、筺体５の前面パネルに止着されるカバー１５とを備える。第１アンテナ部１３は、内蔵アンテナ２と送受信を行うように、内蔵アンテナ２に物理的又は空間的に接続される一方、第２アンテナ部１４は、第１アンテナ部１３に接続されていると共に、端末装置に接続すべき無線ネットワークと直接的に無線信号の送受信を行う。
【００１２】
以上のように構成された端末装置の動作を、以下に説明する。
端末装置に接続すべき無線ネットワークから送信された変調波は、まず端末装置の筺体５の前面パネルに止着されたカバー１５内の第２アンテナ部１４によって受信され、第１アンテナ部１３へと導かれる。第１アンテナ部１３は、スロット９に装着された無線モジュール１０の内蔵アンテナ２と電磁結合しているため、該変調波は無線モジュール１０の内部に取り込まれ、ベースバンド信号へと変換される。その後、ベースバンド信号は、端末装置のプリント基板４に設けられたＰＣＭＣＩＡコネクタ３を介して、端末装置のプリント基板４上に形成された信号処理回路から、あらかじめ定められたプロトコルに応じた処理を受けて、所望のデジタルデータへと変換される。当該端末装置から無線ネットワークへの送信時は、上記の逆の過程をたどる。
【００１３】
以上のように、無線モジュール１０の内蔵アンテナ２との送受信を行う第１アンテナ部１３と、端末装置に接続すべき無線ネットワークとの送受信を行う第２アンテナ部１４とを端末装置の筺体５の前面パネル等の電波を遮断しにくい場所に配置することにより、容易に通信品質の向上が得られる。
【００１４】
なお、この実施の形態では、無線モジュール１０のインターフェイスをＰＣＭＣＩＡコネクタ３としているが、ＳＤカード、メモリースティック等の他のインターフェイスを用いても同等の効果が得られることは言うまでもない。また、第１アンテナ部１３と第２アンテナ部１４には誘電体、スロット、パッチ等の様々な方式、形状の素子が使用可能であり、その寸法、レイアウトについても設計の自由度は極めて高い。
【００１５】
図１の端末装置の変形例にかかる端末装置に用いられるアンテナ装置２０’を示す図４では、利得が１以上の高周波増幅回路１６が、第１アンテナ部１３と第２アンテナ部１４の間に挿入されている。
【００１６】
また、第１アンテナ部１３と第２アンテナ部１４を開閉式のカバー１５に固定してもよい。
【００１７】
以上の説明から明らかなように、本発明によれば、無線モジュールの内蔵アンテナと送受信を行う第１アンテナ部と、端末装置に接続すべき無線ネットワークと送受信を行う第２アンテナ部とを端末装置の筺体の前面パネル等の電波を遮断されにくい場所に配置することにより、通信品質の向上及び端末装置と無線ネットワーク間の無線信号到達距離の延長を図ることができると共に、端末装置の筺体の前面パネル等の物理的又は電気的制約の比較的少ない場所に設けられた第１アンテナ部と第１アンテナ部の指向性、利得等の特性を容易に向上させることができる。
【００１８】
又、本発明において、利得が１以上の高周波増幅回路を第１アンテナ部と第２アンテナ部の間に挿入すれば、送信電力と受信ＣＮ比が改善されることにより、通信品質を更に向上させることができる。
【図面の簡単な説明】
【００１９】
【図１】本発明の実施の形態１にかかる端末装置の概略部分側断面図である。
【図２】図１の端末装置の破断部分正面図である。
【図３】図１の端末装置の前部の破断部分斜視図である。
【図４】図１の端末装置の変形例にかかる端末装置に用いられるアンテナ装置の構成を示すブロック図である。
【図５】無線インターフェイスを装備した従来の端末装置の概略部分側断面図である。
【図６】図５の従来の端末装置の後部の部分斜視図である。
【符号の説明】
【００２０】
１  無線モジュール本体
２  内蔵アンテナ
３  ＰＣＭＣＩＡコネクタ
４  プリント基板
５  筐体
９  スロット
１０  無線モジュール
１３  第１アンテナ部
１４  第２アンテナ部
１５  カバー
１６  高周波増幅回路
２０  アンテナ装置
【手続補正３】
【補正対象書類名】図面
【補正対象項目名】全図
【補正方法】変更
【補正の内容】
【図１】
2004032354.tif 000009
【図２】
2004032354.tif 000010
【図３】
2004032354.tif 000011
【図４】
2004032354.tif 000012
【図５】
2004032354.tif 000013
【図６】
2004032354.tif 000014
【国際調査報告】
2004032354.tif 000015
2004032354.tif 000016
2004032354.tif 000017